(57)【要約】【課題】遠赤外線放射が可能な弾性膜製品を提供する。【解決手段】常温下で、セラミック材が環境エネルギーを吸収し、波長が４μm〜１４μmである、適量の遠赤外線を放射する。波長が４μm〜１４μmである遠赤外線は、生物のセル分子により吸収され、共振と活性を生じる。これらの特性を活用することにより、遠赤外線材のスラリーは、ベースフィルム上に、マイクロミリレベルでコーティングされて、本発明の製品が形成される。包装紙や保護裏当て等として用いられ、食品の鮮度を維持したり、採取した果物の熟成を遅らせたりするほか、保温、生物の育成、健康維持を達成することが出来る。【選択図】図１
2005105077.tif 000002
【特許請求の範囲】
【請求項１】
環境エネルギーを吸収し、遠赤外線を放射するセラミック材の被覆層によりコーティングされた弾性膜製品であって、
厚さ４〜２００μmの弾性フィルムベースと、
酸化アルミニウム（Ａｌ２Ｏ３）、酸化第二鉄（Ｆｅ２Ｏ３）、酸化チタン（ＴｉＯ２）、酸化クロム（Ｃｒ２Ｏ３）、二酸化ケイ素（ＳｉＯ２）、酸化イットリウム（Ｙ２Ｏ３）、酸化マグネシウム（ＭｇＯ）、酸化ジルコニウム（ＺｒＯ２）、からなる群から選択される混合材料であって、コーティングの厚さが１〜５０μmである遠赤外線セラミック材と、
からなることを特徴とする弾性膜製品。
【請求項２】
前記弾性フィルムベースは、ポリエステル（polyester）、ポリオレフィン（Polyolefin）、薄紙、金属箔、薄布であることを特徴とする請求項１に記載の弾性膜製品。
【請求項３】
前記ポリエステルは、ポリエチレンテレフタレート（Polyethylene  Terephthalate、PET）膜であることを特徴とする請求項２に記載の弾性膜製品。
【請求項４】
前記ポリオレフィン膜は、ポリエチレン（Polyethylene、PE）、或いは、ポリプロピレン（polypropylene、PP）膜であることを特徴とする請求項２に記載の弾性膜製品。
【請求項５】
前記金属箔は、アルミホイル、或いは、スズホイルであることを特徴とする請求項２に記載の弾性膜製品。
【請求項６】
前記弾性フィルムベースは、ポリ塩化ビニル（Polyvinyl  Chloride、PVC）膜、ポリ塩化ビニリデン（Polyvinyl Di‐Chloride、PVDC）、ポリスチレン（polystyrene、PS）膜であることを特徴とする請求項１に記載の弾性膜製品。
【請求項７】
前記弾性フィルムベースは、弾性材料又は合成プラスチック膜であることを特徴とする請求項１に記載の弾性膜製品。
【発明の詳細な説明】
【技術分野】
【０００１】
本発明は、波長が４μｍ〜１４μｍである遠赤外線を放射することが可能な薄膜製品に関するものであって、特に、遠赤外線セラミック材をベースフィルムにコーティングすることにより製造され、包装紙や保護裏当て等として用いられる薄膜製品であって、食品の鮮度を維持したり、採取した果物の熟成を遅らせたりするほか、保温、生物の育成、健康維持を達成する。
【背景技術】
【０００２】
赤外線の範囲は０.７６〜１０００μmで、近赤外線、中赤外線、遠赤外線、に分類される。遠赤外線の範囲は３〜１０００μmで、４〜１４μmの範囲は共振を生じ、生物に吸収される。一方、８〜１２μmの範囲は共振を生じ、人体に吸収される。
温度がある物質は遠赤外線を放射する。遠赤外線が放射される時、水、高分子材料、及び有機材料は、遠赤外線を吸収する。遠赤外線は可視光よりも熱が強く、人体を通過し、セル分子を刺激する。よって、多くの健康機器が、この遠赤外線の特性を活用している。サウナバス設備などがその例である。
常温において、特定のセラミック材は環境エネルギー（environmental  energy）を吸収し、適量の遠赤外線を放射することが出来、適量の遠赤外線は、医学的実験により生物の健康に有益であることが証明されている。
【特許文献１】特願平05-251455
【発明の開示】
【発明が解決しようとする課題】
【０００３】
本発明は、常温下で、特定のセラミック材が環境エネルギーを吸収し、適量の遠赤外線を放射する特性を生かすことを目的とする。
【課題を解決するための手段】
【０００４】
特定のセラミック材のスラリーを、ベースフィルム上にコーティングして極薄の表層を形成し、ベースフィルムを乾燥させた後、薄表層はぴったりと接着され、卓越した弾性を表し、包装紙や保護裏当てとして用いられる。
【発明の効果】
【０００５】
食品の鮮度を維持したり、採取した果物の熟成を遅らせたりするほか、保温、生物の育成、健康維持を達成する。
【発明を実施するための最良の形態】
【０００６】
本発明の第一実施例として、食品の鮮度保持膜（ラップ）を説明する。
家庭用ラップは、厚さ５〜１５μmのポリ塩化ビニル（Polyvinyl  Chloride、PVC）膜、或いは、ポリエチレン（Polyethylene、PE）膜製品である。生鮮食品を包んで、生鮮食品を埃や乾燥から守る。
本発明による食品の鮮度維持膜は、例えば、PET膜をベースフィルムとする製品である。ベースフィルムの厚さは、例えば、１０〜３０μmである。ある遠赤外線セラミック材のスラリーは、用途と目的によって厚さ２〜７μmでPETのベースフィルム上にコーティングされる。生鮮食品が上述の製品により包まれた時、遠赤外線セラミック材は、環境エネルギーを吸収し、波長が４〜１４μmである適量の遠赤外線を放射して、生鮮食品を通過するので、セル分子を刺激し、生鮮食品は、長期間鮮度が保たれる。
しかし、マイクロメートルレベルのPETベースフィルム上に、遠赤外線セラミック材のスラリーをコーティングする工程は、通常の設備で実行するのは容易ではない。本発明は、特別な設備と製造工程を利用して、コーティングを完成させる。
図１は、本発明によるポリエチレンテレフタレート（Polyethylene  Terephthalate、PET）のベースフィルム上に、特定のセラミック遠赤外線材料をコーティングする工程を示す図である。
初めに、樹脂１と溶剤２とが混合され、接着剤３を形成する。その後、遠赤外線セラミック材４が接着剤３と混合されて、スラリー５を形成する。遠赤外線セラミック材４は、例えば、酸化アルミニウム（Ａｌ２Ｏ３）、酸化第二鉄（Ｆｅ２Ｏ３）、酸化チタン（ＴｉＯ２）、酸化クロム（Ｃｒ２Ｏ３）、二酸化ケイ素（ＳｉＯ２）、酸化イットリウム（Ｙ２Ｏ３）、酸化マグネシウム（ＭｇＯ）、酸化ジルコニウム（ＺｒＯ２）、からなる群から選択される混合材料で、混合比は、用途によって異なる。スラリー５を形成する設備は、例えば、以下のような、アサダ鉄工株式会社（日本）の製品である。
同心二軸デスパ（CONCENTRIC  TWIN  DESPA  MACHINE）（MC−４０）
サンドミル（SAND  MILL  MACHINE）メカギャッパー（MECHA  GAPER  GM−２G）及び
ラインミル（LINE  MILL  MACHINE）トルネード（TORNADO  TG−１１０）
他社のその他の同等設備を用いてもよい。
次に、ベースフィルム６（例えば、PET膜）が提供される。HIRANO.Co（日本）のコーティングマシーンR−MTが用いられて、PET膜上に遠赤外線セラミック材のスラリーをコーティングする（工程７）。コーティングマシーンR−MTは、マイクロメートル級の厚さでコーティングする精密機器で、他社のその他の同等設備を用いてもよい。コーティングの厚さは、PETのベースフィルムの厚さを超過してはいけない。コーティングの厚さが薄いほど、コストが抑制される。よって、コーティング精密設備が本発明にとって重要な役割を果たしている。
コーティングの後は乾燥工程８で、その後、必要であれば、カレンダ加工（calendering）９が実施される。カレンダ加工設備は、例えば、由利ロール機械株式会社（日本）のもので、他社のその他の同等設備を用いてもよい。最後の工程は、切断工程１０で、その後、PETのベースフィルム上にコーティングされた遠赤外線セラミック材の製品が完成する。
ベースフィルム６は上述のPET膜に限定するものではなく、ポリエチレンPE膜、ポリプロピレンPP膜、などのポリオレフィン（Polyolefin）膜でもよい。その他の弾性、或いは、ポリ塩化ビニル（Polyvinyl  Chloride、PVC）膜、ポリ塩化ビニリデン（Polyvinyl Di‐Chloride、PVDC）、ポリスチレン（polystyrene、PS）膜等のプラスチック化学膜、薄紙、金属箔、薄布は、本発明のベースフィルムである。ベースフィルムの厚さは、目的や製作技術に基づいて、４μm〜２００μmである。遠赤外線セラミック材のコーティングの厚さは、１〜５０μmである。コーティングは、目的や製作技術に基づいて、ベースフィルムの片面（内側か外側）、或いは両面に施される。
本発明は、広範囲に渡って応用され、食品の鮮度維持膜に応用されて、食品の鮮度を向上するだけでなく、壁用化粧紙に応用されて、部屋の保温も可能である。遠赤外線セラミック材をコーティングした、食品の鮮度維持膜が浸透により処理されて、熟成中の果物を包んだ場合、果物の育成効果が増加する。キチン、キトサン、或いはプロポリスなどの、防虫加工材料が、製造工程中に加えられた場合、その後、防虫効果も得られる。本発明の製品が、輸出される生鮮食品を包むのに用いられた場合、包まれた食品は、長期間鮮度を保つことが出来る。本発明の製品により包まれた果物の熟成／腐食は延期され、よって、長時間の運送、販売が可能である。
遠赤外線材料でコーティングされたベースフィルムが、様々な包装製品に加工される時、包装製品は、その中の物質に有効である。
家庭用の毛布や掛け布団も、遠赤外線材料でコーティングされた内張りを包むことができ、必要に応じて浸透加工が施される。机や椅子等の家具も、遠赤外線材料でコーティングされた特別なパッド上に置くことが出来る。学生かばんやプラスチックパッド等の学生用ステーショナリーも、遠赤外線材料でコーティングすることが出来る。
本発明は、上述のようにコーティングするのに代わって、遠赤外線材料と、PET材料、或いは、弾性材料又はプラスチック化学膜、薄紙、金属箔、薄布等の、その他のオリジナルの材料とを混合することも出来、食品の鮮度、採取した果物の熟成を遅らせるなどのほか、保温、生物の育成、健康維持を達成することも出来る。
遠赤外線セラミック材によりコーティングされたアルミニウム／スズホイルが、肉を焼くのに用いられる時、遠赤外線セラミック材が熱エネルギーを吸収して、遠赤外線を放射するので、肉を均一に焼くことができる。
本発明では好ましい実施例を前述の通り開示したが、これらは決して本発明に限定するものではなく、当該技術を熟知する者なら誰でも、本発明の精神と領域を脱しない範囲内で各種の変動や応用を加えることができ、従って本発明明の保護範囲は、特許請求の範囲で指定した内容を基準とする。
【図面の簡単な説明】
【０００７】
【図１】本発明によるポリエチレンテレフタレート（Polyethylene  Terephthalate、PET）のベースフィルム上に、特定のセラミック遠赤外線材料をコーティングする工程を示す図である。
【符号の説明】
【０００８】
１…樹脂
２…溶剤
３…接着剤
４…遠赤外線材
５…スラリー
６…ベースフィルム
７…コーティング工程
８…乾燥工程
９…カレンダ加工
１０…切断工程
【図１】
2005105077.tif 000003